(57)【要約】【課題】  建築用資材を切断予定位置に沿って正確にしかも簡単に切断することができる切断機を提供すること。【解決手段】  基台１７上に載置されたタイル４０を切断するためのタイルカッター１２において、基台１７上に載置されたタイル４０の上面における直線状の切断予定線４１にレーザー光を照射して、直線状の光表示４２を付すことができる発光装置３９と、光表示４２に沿ってタイル４０を切断するために使用される回転刃１５とを備える。【選択図】      図９
0003147549.tif 000002
【実用新案登録請求の範囲】
【請求項１】
基台上に載置された建築用資材を切断するための切断機において、
前記基台上に載置された建築用資材の上面における直線状の切断予定位置に光を照射して、直線状の光表示を付すことができる発光部と、前記光表示に沿って建築用資材を切断するために使用される刃部材又は切断刃とを備えることを特徴とする切断機。
【請求項２】
上面に突条が設けられた前記基台と、前記突条と平行なガイドレールに案内されて移動可能な移動部と、この移動部に揺動可能に取り付けられた操作レバーと、この操作レバーの基部に取り付けられ前記基台上に載置された建築用資材であるタイルの上面に切れ目を入れる刃部材と、その切れ目を境にタイルの表面の両側を押圧してタイルを押し割るための押圧板とを備えるタイルカッターであることを特徴とする請求項１記載の切断機。
【請求項３】
前記発光部は、レーザー光を照射するものであることを特徴とする請求項１又は２記載の切断機。
【請求項４】
前記基台上に載置された建築用資材の上面に、前記刃部材によって切れ目を入れるときに、前記移動部を移動させる方向の側に定められた直線状の切断予定位置に、前記発光部が光を照射することを特徴とする請求項２記載の切断機。
【請求項５】
前記ガイドレールは、それぞれの各端部が前側支持部、及び後側支持部によって支持され、
前記基台に載置された建築用資材の上面に、前記刃部材によって切れ目を入れるときに、前記発光部は、前記移動部を移動させる方向の側に配置されている前記前側支持部に設けられていることを特徴とする請求項４記載の切断機。
【請求項６】
前記発光部は、前記移動部に設けられていることを特徴とする請求項４記載の切断機。
【請求項７】
前記ガイドレールは、それぞれの各端部が前側支持部、及び後側支持部によって支持され、
前記前側支持部及び前記後側支持部のそれぞれは、前記ガイドレールの周面を挟み込んで支持する第１挟持部と第２挟持部とを有し、これら前記第１挟持部及び前記第２挟持部が前記ガイドレールの周面を挟み込む方向にボルトで締め付けて固定する構成としたことを特徴とする請求項２記載の切断機。
【考案の詳細な説明】
【技術分野】
【０００１】
本考案は、例えば壁面や床面等に貼り付けて仕上げる建築用資材等としての主に陶磁器製のタイルを切断するタイルカッターを含む切断機に関する。
に関する。
【背景技術】
【０００２】
従来、タイルを所定寸法に切断するタイルカッターとして例えば特許文献１に開示されたものがある。このタイルカッター１００は、図１５に示すように、基台１と、この基台１上に直線状に設けられた突条２と、この突条２の上方に架設された円形断面を有するガイドレール３と、このガイドレール３に移動可能に取り付けられた移動部４と、この移動部４に揺動可能に取り付けられた操作レバー５とを備えている。そして、この操作レバー５の基部６には回転刃７と押圧板８とが、互いに前後方向に間隔を隔てて枢支されている。
【０００３】
このタイルカッター１００を使用してタイル（図示せず）を切断するときは、まず、タイルの上面に切断予定線を付す。次に、この切断予定線を突条２に合わせた状態でこのタイルを基台１上に載置する。そして、操作レバー５を揺動操作して、回転刃７をタイルの後側縁部に押し当てて、この押し当てた状態でタイルの上面を前進移動させる。これでこのタイルの上面に切れ目を入れることができる。そして、操作レバー５を上向きに回動操作して、回転刃７をタイルの上面から引き離す。このとき、押圧板８は、回転刃７よりも下側位置となるように自動的に垂下位置に移動する。しかる後に、操作レバー５を下向きに回動操作すると、押圧板８の下面がタイル上面に押し当てられて、タイルを、切れ目を境に押し割りすることができる。このようにして、タイルを、その直線状の切断予定線に沿って切断することができる。
【特許文献１】特開平４−９８５５６号公報
【考案の開示】
【考案が解決しようとする課題】
【０００４】
しかし、図１５に示す従来のタイルカッター１００では、タイルを切断するときに、タイルの上面に付された切断予定線を、基台１に設けられた突条２に合わせた状態でこのタイルを基台１上に載置する必要があるが、そうするために、タイルを基台１上に載置すると、作業者は、このタイルによって突条２が見えなくなり、切断予定線を突条２に合わせることが困難となる。
【０００５】
そこで、タイルの上面に付された切断予定線の前側端部及び後側端部を突条２に合わせることによって、切断予定線を突条２に合わすことができる。
【０００６】
しかし、切断予定線の前側端部及び後側端部は、タイルの上面に付されており、突条２は、タイルの下面の下方に配置されているので、両者を合わすときに視差が生じ、両者が正確に合うようにタイルの位置を調整するには、十分な経験が必要となる。更に、そのような作業は、わずらわしいものである。
【０００７】
また、図１５に示す従来のタイルカッター１００では、図１６の拡大断面図に示すように、２本の各ガイドレール３の前後の各端部が前側支持部９、及び後側支持部９によって支持されている。
【０００８】
図１６は、一方のガイドレール３の後端部が後側支持部９によって支持されている構造を示している。このガイドレール３は、中空の管状体であり、後端部に雌ネジ３ａが形成されている。そして、後側支持部９には、取付孔９ａが形成されている。取付けボルト１０は、取付孔９ａを挿通し、その先端部がガイドレール３の後端部に形成されている雌ネジ３ａに螺合している。従って、ガイドレール３は、前後の各端部に螺合する取付けボルト１０を締め付けることによって、後側支持部９と前側支持部９との間に挟み込まれて強く締め付けられ、この締付け力によって後側支持部９及び前側支持部９に固定されている。
【０００９】
しかし、このように固定されたガイドレール３には、タイルを押し割りするときに、上方に持ち上げられる大きな力が働き、この力によってガイドレール３の固定位置がずれることがある。このように、ガイドレール３の固定位置がずれるのは、図１６に示すように、取付けボルト１０と取付孔９ａの内周面との間に隙間１１が存在するからである。そして、ガイドレール３の固定位置がずれると、回転刃７の移動経路が突条２からずれてしまうので、タイルを、直線状の切断予定位置に沿って精度よく切断することができないという問題が生じる。
【００１０】
本考案は、上記のような課題を解決するためになされたものであり、建築用資材を切断予定位置に沿って正確にしかも簡単に切断することができる切断機、及びガイドレールが位置ずれを起こさないように固定することによって、建築用資材を切断予定位置に沿って正確に切断することができる切断機を提供することを目的としている。
【課題を解決するための手段】
【００１１】
本考案に係る切断機は、基台上に載置された建築用資材を切断するための切断機において、前記基台上に載置された建築用資材の上面における直線状の切断予定位置に光を照射して、直線状の光表示を付すことができる発光部と、前記光表示に沿って建築用資材を切断するために使用される刃部材又は切断刃とを備えることを特徴とするものである。
【００１２】
この考案に係る切断機は、発光部が光を照射することによって、基台上に載置された建築用資材の上面に直線状の光表示を付すことができ、この光表示の箇所に沿ってこの建築用資材が切断されるように、例えば刃部材や切断刃が設定されている。つまり、この光表示は、切断される位置を示すことができる。そして、この切断機を使用して建築用資材を切断するときは、まず、建築用資材を基台上に載置する。次に、その建築用資材の上面における直線状の切断予定位置に、直線状の光表示が付されるように、例えば建築用資材の位置を定める。これによって、作業者は、建築用資材の切断される位置（光表示される位置）が、切断予定位置に一致していることを目で確認した後に、及び一致していることを目で確認しながらその建築用資材を切断することができる。従って、建築用資材を、その直線状の切断予定位置に沿って正確に切断することができる。
【００１３】
この考案に係る切断機において、上面に突条が設けられた前記基台と、前記突条と平行なガイドレールに案内されて移動可能な移動部と、この移動部に揺動可能に取り付けられた操作レバーと、この操作レバーの基部に取り付けられ前記基台上に載置された建築用資材であるタイルの上面に切れ目を入れる刃部材と、その切れ目を境にタイルの表面の両側を押圧してタイルを押し割るための押圧板とを備えるタイルカッターとすることができる。
【００１４】
このように構成された切断機を使用して建築用資材を切断するときは、まず、発光部から発光されて建築用資材の上面に表示される直線状の光表示が、基台に設けられている突条に一致していることを確認する。次に、タイルを基台上に載置して、発光部による光表示がタイルの切断予定位置に一致するように、タイルの載置位置を調整する。このようにしてタイルを基台上に載置したときに、タイルの切断予定位置が、基台に設けられている突条の上方位置となるように、タイルを基台上に載置することができる。次に、操作レバーを揺動操作して、刃部材をタイルの一方の縁部に押し当てて、この押し当てた状態でタイルの上面を移動させる。これでこのタイルの上面に切れ目を入れることができる。そして、操作レバーを上向きに回動操作して、刃部材をタイルの上面から引き離すと共に、押圧板が刃部材よりも下側位置となるように押圧板を垂下位置に移動させる。しかる後に、操作レバーを下向きに回動操作すると、押圧板の下面がタイル上面に押し当てられて、タイルを、切れ目を境に押し割りすることができる。このようにして、建築用資材を、その直線状の切断予定位置に沿って正確に切断することができる。
【００１５】
この考案に係る切断機において、前記発光部が、レーザー光を照射するものとすることができる。
【００１６】
このように、発光部がレーザー光を照射するものとすると、建築用資材の上面に対して、この発光部からの遠近の相違に拘わらず、略同一の幅の比較的細い直線状の光表示を付すことができる。これによって、切断予定位置に対して直線状の光表示を正確に一致させて付すことができ、その結果、建築用資材を、その直線状の切断予定位置に沿って正確に切断することができる。
【００１７】
この考案に係る切断機において、前記基台上に載置された建築用資材の上面に、前記刃部材によって切れ目を入れるときに、前記移動部を移動させる方向の側に定められた直線状の切断予定位置に、前記発光部が光を照射するものとすることができる。
【００１８】
このようにすると、基台上に載置された建築用資材の上面に、刃部材を押し当てて、この状態で、移動部を移動させて築用資材の上面に切れ目を入れるときに、移動部を移動させる方向の側に定められた直線状の切断予定位置に、刃部材が通る位置を示す直線状の光表示が一致していることを確認しながら切れ目を入れることができる。これによって、直線状の切断予定位置に対して、刃部材が通る位置を示す直線状の光表示がずれている状態で切れ目を入れることを防止でき、建築用資材を、その直線状の切断予定位置に沿って正確に切断することができる。
【００１９】
この考案に係る切断機において、前記ガイドレールは、それぞれの各端部が前側支持部、及び後側支持部によって支持され、前記基台に載置された建築用資材の上面に、前記刃部材によって切れ目を入れるときに、前記発光部は、前記移動部を移動させる方向の側に配置されている前記前側支持部に設けられているものとすることができる。
【００２０】
このように、ガイドレールを支持する前側支持部に発光部を設けると、発光部を支持するための部材を別に設ける必要がない。よって、その分だけ切断機の嵩の増大、及び費用の増大を防止できる。
【００２１】
この考案に係る切断機において、前記発光部が、前記移動部に設けられているものとすることができる。
【００２２】
このように、発光部を移動部に設けることによっても、発光部を支持するための部材を別に設ける必要がなく、その分だけ切断機の嵩の増大、及び費用の増大を防止できる。
【００２３】
この考案に係る切断機において、前記ガイドレールは、それぞれの各端部が前側支持部、及び後側支持部によって支持され、前記前側支持部及び前記後側支持部のそれぞれは、前記ガイドレールの周面を挟み込んで支持する第１挟持部と第２挟持部とを有し、これら前記第１挟持部及び前記第２挟持部が前記ガイドレールの周面を挟み込む方向にボルトで締め付けて固定する構成とすることができる。
【００２４】
このように、ガイドレールの各端部の周面を、第１挟持部と第２挟持部との間に挟み込んで固定する構成とすることによって、ガイドレールがその軸方向、及びこの軸方向と直交する上下、左右の各方向にずれることを確実に防止できる。これによって、刃部材がガイドレールに案内されて移動する位置と、基台上に載置された建築用資材の上面に付された直線状の光表示の位置と、基台に設けられた突条の位置との間で、ガイドレールのずれに基くずれが生じることを防止できる。その結果、建築用資材を、その直線状の切断予定位置に沿って正確に切断することができる。
【考案の効果】
【００２５】
本考案に係る切断機は、発光部によって照射される光表示によって、建築用資材における切断される位置を表示することができる。従って、基台上に載置された建築用資材の上面における直線状の切断予定位置にこの直線状の光表示が付されるように、建築用資材を基台上に載置すると、その直線状の光表示に沿って建築用資材が切断されるので、建築用資材を、その直線状の切断予定位置に沿って正確にしかも簡単に切断することができる。
【考案を実施するための最良の形態】
【００２６】
以下、本考案に係る切断機の一実施形態を、図１〜図１４を参照して説明する。この実施形態の切断機は、図１に示すように、例えばタイルカッター１２に適用したものである。図２は、図１に示すタイルカッター１２の平面図であり、図３は操作レバー１３の基部１４における回転刃１５（刃部材）、及び押圧具１６を示す正面図である。図４は押圧具１６の斜視図である。
【００２７】
図１及び図２に示すように、このタイルカッター１２は、略長方形の板状体である基台１７を備えている。基台１７の上面には、その中央長手方向に沿って突条１８が設けられ、この突条１８の両側には突条１８と略同じ高さとなるように弾性シート１９が基台１７の上面に貼着されている。この弾性シート１９の上面は、タイル載置面として形成されている。そして、基台１７の前後両端部には、前側支持部２０及び後側支持部２１が設けられている。この前側及び後側支持部２０、２１には、後述の移動部２２の移動を案内するための２本のガイドレール２３が互いに間隔を隔てて平行して架設されている。この２本のガイドレール２３は、突条１８の上方に配置され、突条１８と平行して延びている。このガイドレール２３は、２本に限定されず、１本、又は３本以上であってもよい。また、ガイドレール２３には、移動部２２が移動自在に外嵌合して取り付けられている。
【００２８】
この移動部２２には、図１等に示すように、操作レバー１３がヒンジ２４によって揺動可能に設けられている。操作レバー１３の基部１４は、図３に示すように、操作レバー１３から所定の角度でガイドレール２３の下方に向かう方向に延びている。基部１４の下端には、基台１７上に載置されたタイル（建築用資材）の上面に切れ目を入れるための刃部材としての回転刃１５が支軸２５によって枢支されている。また、基部１４における回転刃１５の支軸２５よりも少し上方であって、少し後方にずれた位置には、基台１７上に載置されたタイルを押し割りするための押圧具１６が支軸２６によって略上下方向に揺動自在に枢支されている。
【００２９】
回転刃１５は、タングステンカーバイト等の超硬合金から製造されており、図３に示すように、外周縁部に断面Ｖ状をなす両刃形の刃先１５ａが形成されたもので、支軸２５の回りを遊転するようにこの支軸２５に装着されている。
【００３０】
そして、押圧具１６には、図３及び図４に示すように、押圧板２７が２つ設けられている。この２つの押圧板２７は、互いに間隔（空所２９）を隔てて略水平に配置され、下面にゴム製の押圧パッド２８が貼着されている。そして、この２つの押圧板２７には、それぞれの空所２９側の端部から上方に伸延する支持部３０が設けられ、この２つの支持部３０の後側縁部が連結部３１を介して互いに連結している。また、両支持部３０、３０及び操作レバー１３の基部１４には、支軸２６が挿通される支軸通孔３２が形成されている。
【００３１】
この押圧具１６は、支軸２６を介して揺動可能であり、常態においては、図３及び図４に示すように、支軸２６を介して垂下姿勢を採るようになっている。このとき、操作レバー１３の基部１４の下端部、及び回転刃１５が空所２９内に入り込み、押圧パッド２８の下面２８ａは回転刃１５の刃先１５ａよりも下方の位置を採るようになっている。そして、操作レバー１３を揺動操作して押し下げると、押圧板２７の押圧パッド２８だけがタイルの上面に押し当てられるようになっている。
【００３２】
次に、図１に示す２本のガイドレール２３を支持するガイドレール支持構造を説明する。２本のガイドレール２３は、それぞれの前側及び後側の各端部が前側支持部２０及び後側支持部２１によって支持されている。ただし、前側支持部２０及び後側支持部２１は、いずれも同等のものであるので、それぞれの同等部分を同一の図面符号で示すと共に、後側支持部２１を説明し、前側支持部２０の説明を省略する。
【００３３】
後側支持部２１は、図５のＡ−Ａ断面図、及び図６のＢ−Ｂ断面図に示すように、２本の各ガイドレール２３の後側端部の周面を上下方向から挟み込んで支持する上側挟持部３３と下側挟持部３４とを有し、これら上側挟持部３３及び下側挟持部３４が各ガイドレール２３の後側端部の周面を、上下方向から挟み込む方向にボルト３５、３５、３５で締め付けて固定する構成である。
【００３４】
この上側挟持部３３は、断面形状が略矩形の棒状部材である。そして、下側挟持部３４は、上側挟持部３３と同等形状の棒状部体で形成され、支柱部３６を介して基台１７に設けられている。この上側及び下側の各挟持部３３、３４の互いに向かい合う各面には、２本の各ガイドレール２３の後側端部の周面が嵌り込む略半円筒形状の嵌合溝３７が２つずつ形成されている。そして、この２組の嵌合溝３７に２本の各ガイドレール２３の後側端部の周面が挟み込まれる。そして、この状態で、上側及び下側の各挟持部３３、３４の互いに向かい合う各面の間には、隙間３８が形成される。この隙間３８は、これら上側挟持部３３及び下側挟持部３４が各ガイドレール２３の後側端部の周面を挟み込む方向にボルト３５で締め付けたときに締め代となり、各ガイドレール２３を強固に基台１７に固定することができる。
【００３５】
これら図５及び図６に示すように、２本の各ガイドレール２３の各端部の周面を、上側及び下側の各挟持部３３、３４によって、上下方向から挟み込んで固定する構成とすることによって、ガイドレール２３がその軸方向、及びこの軸方向と直交する上下、左右の各方向にずれることを確実に防止できる。これによって、回転刃１５がガイドレール２３に案内されて移動する位置と、基台１７上に載置されたタイルの上面に付される後述する直線状の光表示の位置と、基台１７に設けられた突条１８の位置との間で、ガイドレール２３のずれに基くずれが生じることを防止できる。その結果、タイルを、その直線状の切断予定位置に沿って正確に切断することができる。
【００３６】
次に、発光装置３９を、図７（ａ）、（ｂ）、図９、及び図１０を参照して説明する。この図７（ａ）、（ｂ）に示す発光装置３９は、レーザー光を照射することができるものであって、基台１７上に載置されたタイル４０の上面における直線状の切断予定線４１（切断予定位置）に光を照射して、直線状の赤色の光表示４２を付すことができるものである。
【００３７】
図７（ａ）、（ｂ）に示すように、発光装置３９は、発光部３９ａを有し、この発光部３９ａから出射されるレーザー光は、その出射方向に直行する断面形状が縦長の細長い矩形であり、上縁が略正面水平方向を照射し、下縁は、基台１７に形成されている突条１８の先端部（図１における右端部）よりも手前の位置を照射するように設定されている。そして、基台１７上に載置されたタイル４０の上面に付される直線状の光表示４２の横幅ｄは、約２ｍｍである。
【００３８】
このように、発光装置３９がレーザー光を照射するものとすると、タイル４０の上面に対して、この発光装置３９からの遠近の相違に拘わらず、略同一の横幅ｄの比較的細い直線状の光表示４２を付すことができる。これによって、切断予定線４１（切断予定位置）に対して直線状の光表示４２を正確に一致させて付すことができ、その結果、タイル４０をその直線状の切断予定線４１に沿って正確に切断することができる。
【００３９】
また、発光装置３９は、図９及び図１０に示すように、前側支持部２０の背面に取り付けられ、発光部３９ａは、この前側支持部２０に形成された貫通孔に配置されてレーザー光を照射できるようになっている。
【００４０】
このように、発光装置３９を前側支持部２０に取り付けたのは、基台１７上に載置されたタイル４０の上面に、回転刃１５によって切れ目を入れるときに、移動部２２を移動させる前進方向４３の側に描かれた直線状の切断予定線４１に対して、発光装置３９が光を照射できるようにするためである。
【００４１】
このようにすると、図９及び図１０に示すように、移動部２２を移動させることによって、基台１７上に載置されたタイル４０の上面に、回転刃１５によって切れ目を入れるときに、移動部２２を移動させる前進方向４３の側に定められた直線状の切断予定線４１に、回転刃１５が通る位置を示す直線状の光表示４２が一致していることを確認することができ、更に、一致していることを確認しながら切れ目を入れることができる。これによって、直線状の切断予定線４１に対して、回転刃１５が通る位置を示す直線状の光表示４２がずれている状態で切れ目を入れることを防止でき、タイル４０をその直線状の切断予定線４１に沿って正確に切断することができる。
【００４２】
また、図９及び図１０に示すように、２本のガイドレール２３を支持する前側支持部２０に発光装置３９を設けたので、発光装置３９を支持するための部材を別に設ける必要がない。よって、その分だけタイルカッター１２の嵩の増大、及び費用の増大を防止できる。
【００４３】
ただし、この実施形態では、図９に示すように、発光装置３９を前側支持部２０に設けたが、これに代えて、移動部２２に設けてもよい。このように、発光装置３９を移動部２２に取り付けた場合も、基台１７上に載置されたタイル４０の上面に、回転刃１５によって切れ目を入れるときに、移動部２２を移動させる前進方向４３の側に描かれた直線状の切断予定線４１に対して、発光装置３９が光を照射できるようにこの発光装置３９を配置するとよい。
【００４４】
このように、発光装置３９を移動部２２に設けることによっても、発光装置３９を支持するための部材を別に設ける必要がなく、その分だけタイルカッター１２の嵩の増大、及び費用の増大を防止できる。
【００４５】
次に、上記のように構成されたタイルカッター１２（切断機）を使用してタイル４０等の建築用資材を切断するときの手順、及びタイルカッター１２の作用を説明する。まず、図１及び図２に示す発光装置３９をＯＮに操作して、この発光装置３９から発光される直線状の光表示４２が、基台１７に設けられた突条１８に一致していることを確認する。
【００４６】
次に、図８に示すように、作業者は、タイル４０の上面における直線状の切断予定位置に切断予定線４１を描く。そして、図９に示すように、操作レバー１３を揺動操作して持ち上げた状態で、タイル４０を基台１７上に載置して、発光装置３９による光表示４２がタイル４０の切断予定線４１に一致するように、タイル４０の載置位置を調整する。このようにしてタイル４０を基台１７上に載置したときに、タイル４０の切断予定線４１が、基台１７に設けられている突条１８の上方位置となるように、タイル４０を基台１７上に載置することができる。
【００４７】
そして、図９〜図１１に示すように、操作レバー１３を揺動操作して降ろし、回転刃１５をタイル４０の後側の縁部上面に押し当てる。そして、この押圧状態を保って回転刃１５を前進移動させてタイル４０上面に所定の深さで溝状の切れ目を入れる。図９〜図１１は、回転刃１５をタイル４０の上面に押し当てて、この押圧状態を保って回転刃１５を前進移動させている状態において、発光装置３９から出射されるレーザー光及び光表示４２を示している。図９は、その状態におけるタイルカッター１２の正面図、図１０は、その状態におけるタイルカッター１２の平面図であり、図１１は、その状態における押圧具１６の拡大正面図である。
【００４８】
なお、回転刃１５がタイル４０の後側の縁部上面を押圧して、タイル４０の上面に対して押圧状態を保って前進移動を開始するまでは、押圧板２７は基部１４に対して垂下姿勢を採っている（図３参照）。そして、回転刃１５がタイル４０の上面に対して押圧状態を保って前進移動を開始すると、押圧板２７は基部１４によってタイル４０の上面に乗せられて引きずられる体勢で移動する（図９〜図１２参照）。この場合、タイル４０の上面には、押圧板２７のゴム製の押圧パッド２８だけが当接するので傷付きの問題はない。
【００４９】
そして、図１２に示すように、回転刃１５がタイル４０上面を押圧移動してタイル４０の前側端部に達して切れ目入れを終えると、図１３に示すように、操作レバー１３を上向きに回動操作して回転刃１５をタイル４０の上面から引き離す。これによって、押圧板２７は、回転刃１５よりも下側位置となるように自動的に揺動して垂下位置に移動する。押圧板２７が垂下位置に移動すると、回転刃１５は、押圧具１６の空所２９内に入り込み、押圧板２７は操作レバー１３のヒンジ２４側に近づけられる。
【００５０】
しかる後に、図１４に示すように、操作レバー１３を下向きに回動操作すると、押圧板２７の下面（パッド下面）がタイル４０上面に押し当てられる。この状態で操作レバー１３への下向き操作力を強めると、てこの作用で押圧板２７の押圧力は倍加され、タイル４０は切れ目を境に突条１８の両側に押し割りされる。このようにして、タイル４０を、その直線状の切断予定線４１（切断予定位置）に沿って正確に切断することができる。
【００５１】
このように、この実施形態に係るタイルカッター１２は、図７（ａ）、（ｂ）に示すように、発光装置３９によって照射される光表示４２によって、タイル４０における切断される位置を表示することができる。従って、基台１７上に載置されたタイル４０の上面における直線状の切断予定線４１にこの直線状の光表示４２が付されるように、タイル４０を基台１７上に載置すると、その直線状の光表示４２に沿ってタイル４０が切断されるので、タイル４０を、その直線状の切断予定線４１に沿って正確にしかも簡単に切断することができる。
【００５２】
また、図１及び図２に示すように、基台１７の図中の右側端部（前側端部）には、切断されるタイル４０を当接させて位置合わせを行うためのタイルストッパ４４が上方へ突設されている。このタイルストッパ４４の内側縁に形成されているタイル当接部４４ａは、突条１８及びガイドレール２３の長手方向に対して垂直を成す面として形成されている。このタイル当接部４４ａにタイル４０の一辺（前側の辺）を当接させてタイル４０を切断すると、この一辺に対して垂直な方向にタイル４０を切断することができる。また、このタイルストッパ４４の上面４４ｂは平坦面として形成され、この上面には目盛りが形成されている。
【００５３】
また、基台１７の上面には、突条１８及びガイドレール２３の長手方向と平行に直線状に延びる位置合わせ板４５が設けられている。この位置合わせ板４５は、突条１８及びガイドレール２３の長手方向に対して垂直な方向にスライド可能に、基台１７に取り付けられている。
【００５４】
このタイルストッパ４４及び位置合わせ板４５を使用すると、タイル４０を所定の寸法となるように切断することができる。タイル４０を切断するときは、まず、タイル４０の直交二辺を、タイルストッパ４４のタイル当接部４４ａと、位置合わせ板４５とに当接させて、前記目盛りを基準として基台１７の上面に沿って位置合わせ板４５をスライドさせてタイル４０を動かし、位置合わせをする。その後に、回転刃１５をタイル４０の上面に押し当てた状態で転動させて、押圧板２７をタイル４０上面に押圧する。これによって、タイル４０を所定の寸法となるように切断することができる。
【００５５】
ただし、上記実施形態では、本考案の切断機を図１に示すタイルカッター１２に適用した例を示したが、これ以外の切断機に適用することができる。例えば切断機のガイドレールには、モータで回転駆動される円板状の回転刃（切断刃）が設けられているものである。この切断機によると、モータ及び回転刃をガイドレールに沿って移動させることによって、この建築用資材を切断予定位置に沿って回転刃によって切断することができる。
【００５６】
この切断機によれば、直線状の切断予定位置に対して、発光装置３９が照射する直線状の光表示４２を一致させることによって、上記実施形態と同様に、作業者は、光表示４２が付されている位置（切断されていく位置）が切断予定位置に一致していることを目で確認した後に、更に、目で確認しながら建築用資材を切断できるから、建築用資材を正確にしかも簡単に切断することができる。このような切断機では、例えばタイル４０、石材、瓦、コンクリートを切断することができる。
【産業上の利用可能性】
【００５７】
以上のように、本考案に係る切断機は、建築用資材を切断予定位置に沿って正確にしかも簡単に切断することができる優れた効果を有し、このような切断機に適用するのに適している。
【図面の簡単な説明】
【００５８】
【図１】この考案の一実施形態に係るタイルカッターを示す斜視図である。
【図２】同実施形態に係るタイルカッターを示す平面図である。
【図３】同実施形態に係るタイルカッターが備える押圧具を示す正面図である。
【図４】図３に示す押圧具の斜視図である。
【図５】同実施形態に係るタイルカッターが備えるガイドレール支持構造を示すＡ−Ａ部分拡大断面図である。
【図６】同実施形態に係るタイルカッターが備えるガイドレール支持構造を示すＢ−Ｂ部分拡大断面図である。
【図７】同実施形態に係るタイルカッターが備える発光装置によってタイルに照射される直線状の光表示を説明するための図であり、（ａ）は、正面図、（ｂ）は平面図である。
【図８】同実施形態に係るタイルカッターを使用して押し割り手順を説明するための図であり、切断予定線が描かれたタイルを示す平面図である。
【図９】同実施形態に係るタイルカッターを使用して押し割り手順を説明するための図であり、タイルカッターを示す正面図である。
【図１０】同実施形態に係るタイルカッターを使用して押し割り手順を説明するための図であり、タイルカッターを示す平面図である。
【図１１】同実施形態に係るタイルカッターを使用して押し割り手順を説明するための図であり、押圧具を示す正面図である。
【図１２】同実施形態に係るタイルカッターを使用して押し割り手順を説明するための図であり、押圧具及び回転刃を示す正面図である。
【図１３】同実施形態に係るタイルカッターを使用して押し割り手順を説明するための図であり、押圧具の垂下状態を示す正面図である。
【図１４】同実施形態に係るタイルカッターを使用して押し割り手順を説明するための図であり、押圧具がタイルを押し割る状態を示す正面図である。
【図１５】従来のタイルカッターの一例を示す斜視図である。
【図１６】同従来のタイルカッターが備えるガイドレール支持構造を示す部分拡大断面図である。
【符号の説明】
【００５９】
１２  タイルカッター
１３  操作レバー
１４  操作レバーの基部
１５  回転刃
１５ａ  回転刃の刃先
１６  押圧具
１７  基台
１８  突条
１９  弾性シート
２０  前側支持部
２１  後側支持部
２２  移動部
２３  ガイドレール
２４  ヒンジ
２５、２６  支軸
２７  押圧板
２８  押圧パッド
２９  空所
３０  支持部
３１  連結部
３２  支持通孔
３３  上側挟持部
３４  下側挟持部
３５  ボルト
３６  支柱部
３７  嵌合溝
３８  隙間
３９  発光装置
３９ａ  発光部
４０  タイル
４１  切断予定線
４２  光表示
４３  前進方向
４４  タイルストッパ
４４ａ  タイル当接部
４４ｂ  タイルストッパの上面
４５  位置合わせ板
【図１】
0003147549.tif 000003
【図２】
0003147549.tif 000004
【図３】
0003147549.tif 000005
【図４】
0003147549.tif 000006
【図５】
0003147549.tif 000007
【図６】
0003147549.tif 000008
【図７】
0003147549.tif 000009
【図８】
0003147549.tif 000010
【図９】
0003147549.tif 000011
【図１０】
0003147549.tif 000012
【図１１】
0003147549.tif 000013
【図１２】
0003147549.tif 000014
【図１３】
0003147549.tif 000015
【図１４】
0003147549.tif 000016
【図１５】
0003147549.tif 000017
【図１６】
0003147549.tif 000018